(57)【要約】【課題】製造コストが削減された団扇を提供する。【解決手段】扇部１に、柄部２が連接された板状の部材からなる団扇Ｓ１であって、柄部２の下端部Ｕ上の点５Ａから、扇部１の外縁部上の点５Ｂまで、円弧状折り曲げ線５の円弧の凸部分が中心Ｐに対向するように形成される円弧状折り曲げ線５と、柄部２の下端部Ｕ状の点６Ａから、扇部の外縁部上の点６Ｂまで、円弧状折り曲げ線６の円弧の凸部分が中心Ｐに対向するように形成される円弧状折り曲げ線６の各円弧部が互いに対向するように配置される。【選択図】図１
0003170779.tif 000002
【実用新案登録請求の範囲】
【請求項１】
扇部に、柄部が連接された板状の部材からなる団扇であって、
前記柄部の下端部から、前記扇部の外縁部まで、各円弧部が互いに対向するように配置される一対の円弧状の円弧状折り曲げ線が形成されることを特徴とする団扇。
【請求項２】
請求項１に記載の団扇であって、
前記一対の円弧状の円弧状折り曲げ線は、前記柄部の下端部で交わることを特徴とする団扇。
【請求項３】
請求項１又は２の何れか一項に記載の団扇であって、
前記扇部には、前記扇部と前記柄部の連接部から、前記扇部の中心方向に向かって、略円弧状の補助折り曲げ線がさらに形成されることを特徴とする団扇。
【請求項４】
請求項１乃至３の何れか１項に記載の団扇であって、
前記団扇は、１枚の板状の部材で構成されることを特徴とする団扇。
【考案の詳細な説明】
【技術分野】
【０００１】
本考案は、団扇の構造等に関する。
【背景技術】
【０００２】
古くから、手軽に涼をとることができる道具として団扇（うちわ）が広く使用されている。一般的に、団扇は、竹や樹脂材料の柄に連なった骨に、和紙やフィルム（プラスチックフィルム）の地紙が貼り付けられている。
【０００３】
また、近年、製造コスト削減及び環境性等の観点から、例えば、一枚の紙（段ボール）を折り曲げ、接着することにより製造される紙製の団扇が提案されている（例えば、特許文献１）。
【先行技術文献】
【特許文献】
【０００４】
【特許文献１】特開平８−２４０２１号公報
【考案の概要】
【考案が解決しようとする課題】
【０００５】
しかしながら、特許文献１に開示される団扇を製造するためには、接着という工程を踏まなければならず、十分に製造コストを削減するものではなかった。
【０００６】
そこで、本考案は上記問題点に鑑みてなされたものであり、その目的の一例は、製造コストを削減することができる団扇を提供することである。
【課題を解決するための手段】
【０００７】
上記課題を解決するために、請求項１に記載の考案は、扇部に、柄部が連接された板状の部材からなる団扇であって、前記柄部の下端部から、前記扇部の外縁部まで、各円弧部が互いに対向するように配置される一対の円弧状の円弧状折り曲げ線が形成されることを特徴とする。
【０００８】
この考案によれば、製造コストが削減された団扇を提供することができる。
【０００９】
また、請求項２に記載の考案は、請求項１に記載の団扇であって、前記一対の円弧状の円弧状折り曲げ線は、前記柄部の下端部で交わることを特徴とする。
【００１０】
この考案によれば、製造コストが削減された団扇を提供することができる。
【００１１】
また、請求項３に記載の考案は、請求項１又は２の何れか一項に記載の団扇であって、前記扇部には、前記扇部と前記柄部の連接部から、前記扇部の中心方向に向かって、略円弧状の補助折り曲げ線がさらに形成されることを特徴とする。
【００１２】
この考案によれば、扇部の形状がより凹形状へと変形し易くなるため、より製造コストが削減された団扇を提供することができる。
【００１３】
また、請求項４に記載の考案は請求項１乃至３の何れか１項に記載の団扇であって、前記団扇は、１枚の板状の部材で構成されることを特徴とする。
【考案の効果】
【００１４】
以上のように、本考案によれば、製造コストが削減された団扇を提供することができる。
【図面の簡単な説明】
【００１５】
【図１】第１実施形態に係る団扇Ｓ１の展開図である。
【図２】第１実施形態に係る団扇Ｓ１の使用前の状態を示す斜視図である。
【図３】第１実施形態に係る団扇Ｓ１の使用時の状態を示す斜視図である。
【図４】第１実施形態に係る団扇Ｓ１の使用前の状態から使用時の状態への遷移を横方向から示す概念図である。
【図５】円弧状折り曲げ線５の扇部１の外縁部上の点５Ｂと、円弧状折り曲げ線６の扇部の外縁部上の点６Ｂの設定例を示す概念図である。
【図６】第２実施形態に係る団扇Ｓ２の展開図である。
【図７】第２実施形態に係る団扇Ｓ２の使用時の状態を示す斜視図である。
【図８】第３実施形態に係る団扇Ｓ３の展開図である。
【図９】第３実施形態に係る団扇Ｓ３の使用時の状態を示す斜視図である。
【考案を実施するための形態】
【００１６】
以下に、本願の最良の実施形態を添付図面に基づいて説明する。
【００１７】
［１．第１実施形態］
図１〜図５を参照して、第１実施形態に係る団扇について説明する。
【００１８】
まず、図１を参照して、第１実施形態に係る団扇Ｓ１の形状について説明する。
【００１９】
図１は、第１実施形態に係る団扇Ｓ１の展開図である。
【００２０】
ここで説明の便宜上、座標軸２００を定義する。座標軸２００において、Ｙ軸方向（紙面の鉛直方向）を総称して長手方向と、Ｘ軸方向（紙面の水平方向）を短手方向と定義する。さらに、Ｙ軸の矢印が示す方向を上方（上端）と、これと対向する方向を下方（下端）と定義する。また、Ｘ軸の矢印が示す方向を右と、これと対向する方向を左と定義する。さらに、紙面側を表側と、紙面と対向する側を裏側と定義する。
【００２１】
図１に示すように、団扇Ｓ１（本願の団扇の一例）は、紙、上質紙、ボール紙やＰＥＴ材等の薄型樹脂製板材等の折り曲げ可能な板状の部材（本願の板状の部材の一例）を素材とし、扇部１（本願の扇部の一例）に、連接部３及び連接部４を介して、柄部２（本願の柄部の一例）が連接されている。
【００２２】
団扇Ｓ１は、上述した板状の部材を、この団扇Ｓ１と略同じ形の金型（例えば、いわゆるビク型等）により打ち抜いて形成される。打ち抜かれる際に、図１における実線部分の切断が行われる。
【００２３】
なお、このような板状の部材を形成する金型は、合成樹脂により構成される製品を形成する金型のようにキャビティ型及びコア型から構成されるいわゆる二枚構造ではなく、また、イジェクタピン等の機構を備える必要がないため、低価格で製作することができる。
【００２４】
扇部１は、略円弧状の外形を示し、柄部２の往復運動に伴って、団扇Ｓ１の使用者に風（涼風）を提供する（いわゆる、使用者の「団扇を扇ぐ」動作によって、使用者に風が提供される）。なお、本考案の一例として、扇部１の外形は略円弧状を示しているが、これに限定されず、略矩形、多角形、又はハート型（heart-shaped）等、種々の外形を適用することができる。
【００２５】
柄部２は、団扇Ｓ１の使用者に把持され、使用者によって加えられる往復運動による動力（力）を、扇部１へ伝達する。そして、柄部２は、扇部１の略円弧状の外形部の終端部分から延出される連接部３及び連接部４を介して、扇部１に連接されている。
【００２６】
この扇部１又は柄部２に、例えば、商品又は役務等の商品名（標章）、効能、使用方法等を示す宣伝広告文字、写真等を表示（例えば、印刷等）することによって、団扇Ｓ１を、商品又は役務等の宣伝広告媒体として機能させることもできる。
【００２７】
また、扇部１と柄部２（即ち、団扇Ｓ１）には、一対の円弧状の円弧状折り曲げ線５（本願の一対の円弧状の円弧状折り曲げ線の一例）、及び（一対の）円弧状の円弧状折り曲げ線６（本願の一対の円弧状の円弧状折り曲げ線の一例）がそれぞれ形成される。
【００２８】
円弧状折り曲げ線５、及び円弧状折り曲げ線６は、柄部２の下端部の頂点を下端部頂点Ｕとする下端部から、扇部１の外縁部まで、各円弧部が互いに対向するように配置される。
【００２９】
具体的には、円弧状折り曲げ線５は、柄部２の下端部上の点５Ａから、扇部１の外縁（外形）部上の点５Ｂまで、円弧状折り曲げ線５の円弧の凸部分が中心Ｐに対向するように形成される円弧状の曲線である。また、円弧状折り曲げ線６は、柄部２の下端部上の点６Ａから、扇部の外縁部上の点６Ｂまで、円弧状折り曲げ線６の円弧の凸部分が中心Ｐに対向するように形成される円弧状の曲線である。そして、円弧状折り曲げ線５の円弧の凸部分と、円弧状折り曲げ線６の円弧の凸部分が互いに対向するように配置されている。
【００３０】
この円弧状折り曲げ線５、及び円弧状折り曲げ線６は、中心Ｐ（本願の中心方向の一例）を基準に、団扇Ｓ１を凸形状にするための折り曲げ線であり、例えば、上述した板状の部材に、筋付け（筋押し、又は筋入れ）、リード罫（ミシン目）、連続するパンチ穴の集合、又はハーフカット等の各処理を施すことにより形成される。なお、円弧状折り曲げ線５、及び円弧状折り曲げ線６は、リード罫のように、板状の部材（団扇Ｓ１）の一部を残して打ち抜かれるようにすることにより、強度を維持することができる。
【００３１】
以下に示す実施形態において、他に示す折り曲げ線（例えば、後述する略円弧状の補助折り曲げ線７等）は、特に説明する場合を除き、図面中において点線で示し、上述した特性を有する。
【００３２】
なお、円弧状折り曲げ線５、及び円弧状折り曲げ線６は、中心Ｐを基準に凸形状に折り曲げ可能に連結したものでもよく、例えば、団扇Ｓ１を、円弧状折り曲げ線５、及び円弧状折り曲げ線６で、線状に打ち抜き（スリット状に打ち抜き）、分割された団扇Ｓ１を事後的にテープ等で接合して連結するようにしてもよい。
【００３３】
この団扇Ｓ１の柄部２が、円弧状折り曲げ線５、及び円弧状折り曲げ線６で山折りされると、扇部１の左右の外縁部（５Ｂと６Ｂを含む）は、互いに近接する方向（中心Ｐの方向）へ引っ張られる。すると、扇部１は、円弧状折り曲げ線５、及び円弧状折り曲げ線６を介して、表側へ湾曲する（即ち山折り方向へ湾曲する）。すると、扇部１は、中心Ｐを基準として、凸形状となるようになっている。
【００３４】
また、本実施形態においては、円弧状折り曲げ線５、及び円弧状折り曲げ線６は、所定の間隔Ｓを隔てて形成されている。
【００３５】
この所定の間隔Ｓは、作業性向上及び使用上の観点から、３〜４ｍｍ程度の間隔を設定することにより、団扇Ｓ１の使用者が、柄部２を折り曲げ易く、かつ、つまみ易い（持ち易い）形状となる。この所定の間隔Ｓは、任意の間隔を設定することができる。
【００３６】
次に、図２〜図４を参照して、団扇Ｓ１の使用状態について説明する。
【００３７】
図２は第１実施形態に係る団扇Ｓ１の使用前の状態を示す斜視図であり、図３は第１実施形態に係る団扇Ｓ１の使用時の状態を示す斜視図であり、図４は第１実施形態に係る団扇Ｓ１の使用前の状態から使用時の状態への遷移を示す概念図である。なお、図４では、団扇Ｓ１の使用時の状態を、図３の斜視図に示す矢印Ｘ−Ｘ方向から見た断面図にて示している。
【００３８】
図２及び図４に示す団扇Ｓ１の使用前の状態において、例えば、団扇Ｓ１の使用者の指等によって、柄部２がつままれると、柄部２が、円弧状折り曲げ線５、及び円弧状折り曲げ線６で山折りされ、扇部１の左右の外縁部が、互いに近接する方向（中心Ｐの方向）へ引っ張られる。すると、扇部１は、円弧状折り曲げ線５、及び円弧状折り曲げ線６を介して、表側へ湾曲する。すると、扇部１は、中心Ｐを基準として、凸形状となる（換言すれば、略扇型の凸形状となる）。すなわち、図４に示すように、柄部２が、円弧状折り曲げ線５、及び円弧状折り曲げ線６で山折りされると、団扇Ｓ１は、図４の矢印Ｑ方向へ変形する。
【００３９】
なお、以下に示す実施形態（第１実施形態〜第３実施形態）において、図４に示す団扇の断面形状は略同一であるためその説明を省略する。
【００４０】
以上説明したように、本実施形態によれば、扇部１に、柄部２が連接された板状の部材からなる団扇Ｓ１であって、柄部２の下端部上の点５Ａから、扇部１の外縁部上の点５Ｂまで、円弧状折り曲げ線５の円弧の凸部分が中心Ｐに対向するように形成される円弧状折り曲げ線５と、柄部２の下端部上の点６Ａから、扇部の外縁部上の点６Ｂまで、円弧状折り曲げ線６の円弧の凸部分が中心Ｐに対向するように形成される円弧状折り曲げ線６の各円弧部が互いに対向するように配置される一対の円弧状折り曲げ線５及び円弧状折り曲げ線６が形成されるように構成したため、円弧状折り曲げ線５及び円弧状折り曲げ線６を折り曲げることにより、団扇Ｓ１が凸形状となり、一の折り曲げ動作で団扇Ｓ１を製造することができるため製造コストが削減された団扇を提供することができる。さらに、一の板状の部材から団扇Ｓ１を製造することができるため、製造コストが削減された団扇を提供することができる。また、扇部１が凹形状となるため、団扇Ｓ１の使用者に、十分な涼風を提供することができる。
【００４１】
なお、以上説明した実施形態は実用新案登録請求の範囲に係る考案を限定するものではない。そして、上記実施形態の中で説明されている構成の組み合わせ全てが考案の課題解決に必須の手段であるとは限らない。
【００４２】
具体的には、例えば、円弧状折り曲げ線５及び円弧状折り曲げ線６は、連続した形状を示す折り曲げ線として形成される場合に限定されない。具体的には、円弧状折り曲げ線５及び円弧状折り曲げ線６は、上述したリード罫のように板状の部材（扇部１又は柄部２）の一部を残して打ち抜かれる（すなわち、分断されたスリット状に打ち抜かれる）ようにしても良いし、円弧状折り曲げ線５及び円弧状折り曲げ線６（略円弧状の形状）の一部に対して、上述した筋付けを施すようにしても良い。
【００４３】
また、本実施形態において、円弧状折り曲げ線５の扇部１の外縁部上の点５Ｂと、円弧状折り曲げ線６の扇部の外縁部上の点６Ｂは、中心Ｐを基準として、扇部１の外縁部上の点のうち長手方向の上方に設けられているが、これに限定されず、任意に設定することができる。
【００４４】
ここで、図５を参照して、円弧状折り曲げ線５の扇部１の外縁部上の点５Ｂと、円弧状折り曲げ線６の扇部の外縁部上の点６Ｂの設定例について説明する。
【００４５】
図５は、円弧状折り曲げ線５の扇部１の外縁部上の点５Ｂと、円弧状折り曲げ線６の扇部の外縁部上の点６Ｂの設定例を示す概念図である。なお、図５において、説明の便宜上、中心Ｐを通り長手方向に設定された軸をＹ´軸と、中心Ｐを通り短手方向に設定された軸をＸ´軸とする。また、図５に示す例では、円弧状折り曲げ線５の扇部１の外縁部上の点５Ｂと、円弧状折り曲げ線６の扇部の外縁部上の点６Ｂの設定例を概念的に複数（図５に示す例では、円弧状折り曲げ線５´、５´´、及び円弧状折り曲げ線６´、６´´）示している。これらの複数の円弧状折り曲げ線の設定例のうち、少なくとも一対の円弧状折り曲げ線（例えば、円弧状折り曲げ線５´及び円弧状折り曲げ線６´）が適用された場合に、本実施形態に係る団扇Ｓ１の円弧状折り曲げ線の機能及び効果を奏する。
【００４６】
図５に示すように、円弧状折り曲げ線５の扇部１の外縁部上の点５Ｂと、円弧状折り曲げ線６の扇部１の外縁部上の点６Ｂは、中心Ｐを基準として、扇部１の外縁部上の点のうち長手方向の上方に設けられている。この円弧状折り曲げ線５の扇部１の外縁部上の点と、円弧状折り曲げ線６の扇部の外縁部上の点は、扇部１の外縁部上であれば任意に設定することができる。
【００４７】
具体的には、例えば、円弧状折り曲げ線５の扇部１の外縁部上の点５Ｂを、中心Ｐを基準として、長手方向（Ｙ´軸方向）のさらに上方である５Ｂ´に設定し、円弧状折り曲げ線６の扇部１の外縁部上の点６Ｂを、中心Ｐを基準として、長手方向のさらに上方である６Ｂ´に設定するようにしても良い。この場合、上述した一対の円弧状折り曲げ線として、柄部２の下端部Ｕ上の点５Ａと５Ｂ´を結ぶ円弧状折り曲げ線５´と、柄部２の下端部Ｕ上の点６Ａと６Ｂ´を結ぶ円弧状折り曲げ線６´が、それぞれ形成されることとなる。
【００４８】
また、円弧状折り曲げ線５の扇部１の外縁部上の点５Ｂを、中心Ｐを基準として、長手方向（Ｙ´軸方向）の下方である５Ｂ´´に設定し、円弧状折り曲げ線６の扇部１の外縁部上の点６Ｂを、中心Ｐを基準として、長手方向の下方である６Ｂ´´に設定するようにしても良い。この場合、上述した一対の円弧状折り曲げ線として、柄部２の下端部Ｕ上の点５Ａと５Ｂ´´を結ぶ円弧状折り曲げ線５´´と、柄部２の下端部Ｕ上の点６Ａと６Ｂ´´を結ぶ円弧状折り曲げ線６´´が、それぞれ形成されることとなる。
【００４９】
［２.第２実施形態］
次に、図６及び図７を参照して、第２実施形態に係る団扇について説明する。
【００５０】
第２実施形態に係る団扇Ｓ２が、第１実施形態に係る団扇Ｓ１と異なる点は、上述した一対の円弧状折り曲げ線５及び円弧状折り曲げ線６を、柄部２の下端部Ｕで交わるようにしたことである。なお、以下に示す図面において、既に説明した図面と同一の部材名又は部材番号を示す部材は、少なくとも同一の機能を有するものとして、その部材の構成、作用及び効果の詳しい説明については省略する。
【００５１】
まず、図６を参照して、第２実施形態に係る団扇Ｓ２の形状について説明する。
【００５２】
図６は、第２実施形態に係る団扇Ｓ２の展開図である。
【００５３】
図６に示すように、円弧状折り曲げ線５及び円弧状折り曲げ線６は、柄部２の下端部頂点Ｕで交わっている。具体的には、円弧状折り曲げ線５における柄部２の下端部上の点５Ａと、円弧状折り曲げ線６における柄部２の下端部上の点６Ａは、下端部頂点Ｕで交わっている。
【００５４】
次に、図７を参照して、団扇Ｓ２の使用状態について説明する。
【００５５】
図７は、第２実施形態に係る団扇Ｓ２の使用時の状態を示す斜視図である。
【００５６】
例えば、団扇Ｓ２の使用者の指等によって、柄部２がつままれると、柄部２は、円弧状折り曲げ線５、及び円弧状折り曲げ線６で山折りされ、扇部１の左右の外縁部は、互いに近接する方向へ引っ張られる。すると、扇部１は、円弧状折り曲げ線５、及び円弧状折り曲げ線６を介して、表側へ湾曲する。すると、扇部１は、中心Ｐを基準として、凸形状となる。
【００５７】
以上説明したように、本実施形態によれば、一対の円弧状折り曲げ線５及び円弧状折り曲げ線６は、柄部２の下端部頂点Ｕで交わるように構成したため、円弧状折り曲げ線５及び円弧状折り曲げ線６を折り曲げることにより、団扇Ｓ２が凸形状となり、一の折り曲げ動作で団扇Ｓ２を製造することができるため製造コストが削減された団扇を提供することができる。さらに、一の板状の部材から団扇Ｓ２を製造することができるため、製造コストが削減された団扇を提供することができる。また、扇部１が凹形状となるため、団扇Ｓ２の使用者に、十分な涼風を提供することができる。
【００５８】
なお、以上説明した実施形態は実用新案登録請求の範囲に係る考案を限定するものではない。そして、上記実施形態の中で説明されている構成の組み合わせ全てが考案の課題解決に必須の手段であるとは限らない。
【００５９】
［３．第３実施形態］
次に、図８及び図９を参照して、第３実施形態に係る団扇について説明する。
【００６０】
第３実施形態に係る団扇Ｓ３が、第１実施形態に係る団扇Ｓ１及び第２実施形態に係る団扇Ｓ２と異なる点は、補助折り曲げ線７（本願の略円弧状の補助折り曲げ線の一例）、及び補助折り曲げ線８（本願の略円弧状の補助折り曲げ線の一例）を設けたことである。
【００６１】
まず、図８を参照して、第３実施形態に係る団扇Ｓ３の形状について説明する。
【００６２】
図８は、第３実施形態に係る団扇Ｓ３の展開図である。
【００６３】
図８に示すように、扇部１には、扇部１と柄部２の連接部３及び連接部４から、扇部１の中心Ｐに向かって、それぞれ略円弧状の補助折り曲げ線７、及び補助折り曲げ線８が形成されている。
【００６４】
具体的には、補助折り曲げ線７は、連接部３と柄部２の外縁部との接続部３Ａを基端部７Ａとし、扇部１の外縁部上の点７Ｂまで、扇部１の中心Ｐに向かって、補助折り曲げ線７の円弧の凸部分が中心Ｐに対向するように形成されている。また、補助折り曲げ線８は、連接部４と柄部２の外縁部との接続部４Ａを基端部８Ａとし、扇部１の外縁部上の点８Ｂまで、扇部１の中心Ｐに向かって、補助折り曲げ線８の円弧の凸部分が中心Ｐに対向するように形成されている。
【００６５】
この補助折り曲げ線７、及び補助折り曲げ線８を設けることによって、団扇Ｓ３の使用者が柄部２つまむ（把持する）際の負荷が軽減されるようになっている。
【００６６】
具体的には、上述したように、団扇Ｓ３の使用者が、柄部２をつまむと、柄部２が、円弧状折り曲げ線５、及び円弧状折り曲げ線６で山折りされ、扇部１の左右の外縁部が、互いに近接する方向へ引っ張られて、扇部１は、中心Ｐを基準として、凸形状となるのであるが、この際、扇部１に発生する反力（弾性力）により、扇部１は、引っ張られる前の形状に戻ろうとする。補助折り曲げ線７、及び補助折り曲げ線８は、上記反力を軽減する役割を果たす。
【００６７】
次に、図９を参照して、団扇Ｓ３の使用状態について説明する。
【００６８】
図９は、第３実施形態に係る団扇Ｓ３の使用時の状態を示す斜視図である。
【００６９】
例えば、団扇Ｓ３の使用者の指等によって、柄部２がつままれると、柄部２は、円弧状折り曲げ線５、及び円弧状折り曲げ線６で山折りされ、扇部１の左右の外縁部は、互いに近接する方向へ引っ張られる。すると、扇部１は、円弧状折り曲げ線５、及び円弧状折り曲げ線６を介して、表側へ湾曲する。すると、扇部１は、中心Ｐを基準として、凸形状となる。この際、上述したように、補助折り曲げ線７、及び補助折り曲げ線８によって、扇部１における引っ張られる前の形状に戻ろうとする反力が軽減されるのである。
【００７０】
以上説明したように、扇部１には、扇部１と柄部２の連接部３及び連接部４から、扇部１の中心Ｐに向かって、それぞれ略円弧状の補助折り曲げ線７、及び補助折り曲げ線８が形成されるように構成したため、扇部１の形状がより変形し易くなるため、より製造コストが削減された団扇Ｓ３を提供することができる。また、一の折り曲げ動作で団扇Ｓ３を製造することができるため製造コストが削減された団扇を提供することができる。さらに、一の板状の部材から団扇Ｓ３を製造することができるため、製造コストが削減された団扇を提供することができる。そして、扇部１が凹形状となるため、団扇Ｓ３の使用者に、十分な涼風を提供することができる。
【００７１】
なお、以上説明した実施形態は実用新案登録請求の範囲に係る考案を限定するものではない。そして、上記実施形態の中で説明されている構成の組み合わせ全てが考案の課題解決に必須の手段であるとは限らない。
【００７２】
具体的には、例えば、補助折り曲げ線７、及び補助折り曲げ線８は、連続した形状を示す折り曲げ線として形成される場合に限定されない。具体的には、補助折り曲げ線７、及び補助折り曲げ線８は、上述したリード罫のように板状の部材の一部を残して打ち抜かれるようにしても良いし、補助折り曲げ線７、及び補助折り曲げ線８の一部に対して、上述した筋付けを施すようにしても良い。
【符号の説明】
【００７３】
１    扇部
２    柄部
３    連接部
４    連接部
５    円弧状折り曲げ線
６    円弧状折り曲げ線
７    補助折り曲げ線
８    補助折り曲げ線
Ｓ１  団扇
Ｓ２  団扇
Ｓ３  団扇
【図１】
0003170779.tif 000003
【図２】
0003170779.tif 000004
【図３】
0003170779.tif 000005
【図４】
0003170779.tif 000006
【図５】
0003170779.tif 000007
【図６】
0003170779.tif 000008
【図７】
0003170779.tif 000009
【図８】
0003170779.tif 000010
【図９】
0003170779.tif 000011